(57)【要約】【課題】  液晶表示装置に用いられる冷陰極管などの面光源を確実に点灯し、かつ効率化する。【解決手段】  周波数設定部４７1，４７2，４７3，４７4にタイミング信号ｄ1，ｄ2，ｄ3，ｄ4が入力されたとき、駆動パルス電圧ｅ1，ｅ2，ｅ3，ｅ4の周波数ｆ1，ｆ2，ｆ3，ｆ4は、バックライト４８1，４８2，４８3，４８4の点灯初期の浮遊容量に対応した共振周波数の付近の高い周波数となり、この後、同バックライト４８1，４８2，４８3，４８4の点灯安定期の浮遊容量に対応した共振周波数の付近の低い周波数となる。このため、バックライト４８1，４８2，４８3，４８4は、冷陰極管が長い場合でも確実に点灯し、かつ力率が改善されて効率が良くなる。【選択図】図１
2005123097.tif 000002
【特許請求の範囲】
【請求項１】
液晶パネルと、
該液晶パネルを均一に照明するための面光源と、
駆動パルス電圧を前記面光源に印加する面光源駆動部とを備えてなる液晶表示装置であって、
前記面光源の点灯初期状態から点灯安定状態に遷移する際に前記駆動パルス電圧の周波数の設定値を変更する周波数設定部が付加されてなることを特徴とする液晶表示装置。
【請求項２】
前記面光源駆動部は、
前記面光源が有する浮遊容量との組合わせで共振する共振回路を有し、該共振回路の共振周波数の付近に設定された前記駆動パルス電圧を前記面光源に印加する構成とされ、
前記周波数設定部は、
前記面光源の点灯初期状態から点灯安定状態に遷移する際の前記浮遊容量の増加に伴う前記共振周波数の低下に応じて前記駆動パルス電圧の周波数の設定値を変更する構成とされていることを特徴とする請求項１記載の液晶表示装置。
【請求項３】
前記面光源は、
前記駆動パルス電圧が印加されて点灯する冷陰極管と、
該冷陰極管の光を反射すると共に、該冷陰極管の内部に発生するプラズマとの間で静電容量を形成することにより前記冷陰極管の点灯初期よりも点灯安定期に前記浮遊容量を増加させる反射部と、
該反射部で反射された光及び前記冷陰極管の光を拡散して前記液晶パネルを均一に照明する拡散部とから構成され、
前記周波数設定部は、
前記駆動パルス電圧の周波数を前記冷陰極管の点灯初期の前記浮遊容量に対応した共振周波数の付近に設定し、この後、該周波数を該冷陰極管の点灯安定期の前記浮遊容量に対応した共振周波数の付近に設定する構成とされていることを特徴とする請求項１又は２記載の液晶表示装置。
【請求項４】
液晶パネルと、
該液晶パネルを均一に照明するための面光源と、
駆動パルス電圧を前記面光源に印加する面光源駆動部と、
前記面光源の点灯開始時から所定期間に前記駆動パルス電圧が初期値から設定値まで漸次増加するように設定する電圧設定部とを備えてなる液晶表示装置であって、
前記面光源の点灯開始時から前記所定期間経過後に前記駆動パルス電圧の周波数の設定値を変更する周波数設定部が付加されてなることを特徴とする液晶表示装置。
【請求項５】
前記面光源駆動部は、
前記面光源が有する浮遊容量との組合わせで共振する共振回路を有し、該共振回路の共振周波数の付近に設定された前記駆動パルス電圧を前記面光源に印加する構成とされ、
前記周波数設定部は、
前記面光源の点灯開始時から前記所定期間経過後における前記浮遊容量の増加に伴う前記共振周波数の低下に応じて前記駆動パルス電圧の周波数の設定値を変更する構成とされていることを特徴とする請求項４記載の液晶表示装置。
【請求項６】
前記面光源は、
前記駆動パルス電圧が印加されて点灯する冷陰極管と、
該冷陰極管の光を反射すると共に、該冷陰極管の内部に発生するプラズマとの間で静電容量を形成することにより前記冷陰極管の点灯開始時よりも前記所定期間経過後に前記浮遊容量を増加させる反射部と、
該反射部で反射された光及び前記冷陰極管の光を拡散して前記液晶パネルを均一に照明する拡散部とから構成され、
前記周波数設定部は、
前記駆動パルス電圧の周波数を前記冷陰極管の点灯開始時の前記浮遊容量に対応した共振周波数の付近に設定し、前記所定期間経過後、該周波数を該冷陰極管の点灯安定期の前記浮遊容量に対応した共振周波数の付近に設定する構成とされていることを特徴とする請求項４又は５記載の液晶表示装置。
【請求項７】
液晶パネルと、
該液晶パネルの走査方向に分割され、駆動パルス電圧が印加されて点灯し、前記液晶パネルの当該の領域を均一に照明するための複数の面光源ブロックと、
映像入力信号の１フレーム期間を前記各面光源ブロックの前記走査方向の長さに対応した複数のフレームブロックに分割し、前記各フレームブロック毎に前記液晶パネルの応答特性に対応して前記各面光源ブロックを点滅させるための複数のタイミング信号を発生する点灯タイミング制御部と、
前記各駆動パルス電圧を前記タイミング信号に同期して前記各面光源ブロックに印加する複数の面光源ブロック駆動部とを備えてなる液晶表示装置であって、
前記各面光源ブロックの点灯初期状態から点灯安定状態に遷移する際に前記各駆動パルス電圧の周波数の設定値を変更する複数の周波数設定部が付加されてなることを特徴とする液晶表示装置。
【請求項８】
前記各面光源ブロック駆動部は、
前記各面光源ブロックが有する浮遊容量との組合わせで共振する共振回路を有し、該共振回路の共振周波数の付近に設定された前記駆動パルス電圧を前記各タイミング信号に同期して前記各面光源ブロックに印加する構成とされ、
前記各周波数設定部は、
前記各面光源ブロックの点灯初期状態から点灯安定状態に遷移する際の前記浮遊容量の増加に伴う前記共振周波数の低下に応じて前記駆動パルス電圧の周波数の設定値を変更する構成とされていることを特徴とする請求項７記載の液晶表示装置。
【請求項９】
前記各面光源ブロックは、
前記駆動パルス電圧が印加されて点灯する冷陰極管と、
該冷陰極管の光を反射すると共に、該冷陰極管の内部に発生するプラズマとの間で静電容量を形成することにより前記冷陰極管の点灯初期よりも点灯安定期に前記浮遊容量を増加させる反射部と、
該反射部で反射された光及び前記冷陰極管の光を拡散して前記液晶パネルの当該の領域を均一に照明する拡散部とから構成され、
前記各周波数設定部は、
前記駆動パルス電圧の周波数を前記冷陰極管の点灯初期の前記浮遊容量に対応した共振周波数の付近に設定し、この後、該周波数を該冷陰極管の点灯安定期の前記浮遊容量に対応した共振周波数の付近に設定する構成とされていることを特徴とする請求項７又は８記載の液晶表示装置。
【請求項１０】
液晶パネルと、
該液晶パネルの走査方向に分割され、駆動パルス電圧が印加されて点灯し、前記液晶パネルの当該の領域を均一に照明するための複数の面光源ブロックと、
映像入力信号の１フレーム期間を前記各面光源ブロックの前記走査方向の長さに対応した複数のフレームブロックに分割し、前記各フレームブロック毎に前記液晶パネルの応答特性に対応して前記各面光源ブロックを点滅させるための複数のタイミング信号を発生する点灯タイミング制御部と、
前記各駆動パルス電圧を前記タイミング信号に同期して前記各面光源ブロックに印加する複数の面光源ブロック駆動部と、
前記各面光源ブロックの点灯開始時から所定期間に前記駆動パルス電圧が初期値から設定値まで漸次増加するように設定する複数の電圧設定部とを備えてなる液晶表示装置であって、
前記各面光源ブロックの点灯開始時から前記所定期間経過後に前記駆動パルス電圧の周波数を変更する複数の周波数設定部が付加されてなることを特徴とする液晶表示装置。
【請求項１１】
前記各面光源ブロック駆動部は、
前記面光源が有する浮遊容量との組合わせで共振する共振回路を有し、該共振回路の共振周波数の付近に設定された前記駆動パルス電圧を前記各タイミング信号に同期して前記面光源ブロックに印加する構成とされ、
前記各周波数設定部は、
前記各面光源ブロックの点灯開始時から前記所定期間経過後における前記浮遊容量の増加に伴う前記共振周波数の低下に応じて前記駆動パルス電圧の周波数の設定値を変更する構成とされていることを特徴とする請求項１０記載の液晶表示装置。
【請求項１２】
前記各面光源ブロックは、
前記駆動パルス電圧が印加されて点灯する冷陰極管と、
該冷陰極管の光を反射すると共に、該冷陰極管の内部に発生するプラズマとの間で静電容量を形成することにより前記冷陰極管の点灯初期よりも点灯安定期に前記浮遊容量を増加させる反射部と、
該反射部で反射された光及び前記冷陰極管の光を拡散して前記液晶パネルの当該の領域を均一に照明する拡散部とから構成され、
前記各周波数設定部は、
前記駆動パルス電圧の周波数を前記冷陰極管の点灯開始時の前記浮遊容量に対応した共振周波数の付近に設定し、前記所定期間経過後、該周波数を該冷陰極管の点灯安定期の前記浮遊容量に対応した共振周波数の付近に設定する構成とされていることを特徴とする請求項１０又は１１記載の液晶表示装置。
【請求項１３】
前記周波数設定部は、
前記面光源の点灯初期状態から点灯安定状態に遷移する際に、前記駆動パルス電圧を初期値から前記面光源の所定の光量に対応した値まで漸次増加させる構成とされていることを特徴とする請求項１記載の液晶表示装置。
【請求項１４】
前記周波数設定部は、
前記面光源の点灯安定状態から消灯状態に遷移する際に、前記駆動パルス電圧を前記面光源の所定の光量に対応した値から初期値まで漸次減少させる構成とされていることを特徴とする請求項１記載の液晶表示装置。
【請求項１５】
前記各周波数設定部は、
前記各面光源ブロックの点灯初期状態から点灯安定状態に遷移する際に、前記各駆動パルス電圧を初期値から前記各面光源ブロックの所定の光量に対応した値まで漸次増加させる構成とされていることを特徴とする請求項７記載の液晶表示装置。
【請求項１６】
前記各周波数設定部は、
前記各面光源ブロックの点灯安定状態から消灯状態に遷移する際に、前記各駆動パルス電圧を前記各面光源ブロックの所定の光量に対応した値から初期値まで漸次減少させる構成とされていることを特徴とする請求項７記載の液晶表示装置。
【請求項１７】
液晶パネルと、
該液晶パネルを均一に照明するための面光源と、
駆動パルス電圧を前記面光源に印加する面光源駆動部とを備えてなる液晶表示装置に用いられ、前記面光源を駆動する駆動方法であって、
前記面光源の点灯初期状態から点灯安定状態に遷移する際に前記駆動パルス電圧の周波数の設定値を変更する周波数設定処理を行うことを特徴とする駆動方法。
【請求項１８】
液晶パネルと、
該液晶パネルを均一に照明するための面光源と、
駆動パルス電圧を前記面光源に印加する面光源駆動部と、
前記面光源の点灯開始時から所定期間に前記駆動パルス電圧が初期値から設定値まで漸次増加するように設定する電圧設定部とを備えてなる液晶表示装置に用いられ、前記面光源を駆動する駆動方法であって、
前記面光源の点灯開始時から前記所定期間経過後に前記駆動パルス電圧の周波数の設定値を変更する周波数設定処理を行うことを特徴とする駆動方法。
【請求項１９】
液晶パネルと、
該液晶パネルの走査方向に分割され、駆動パルス電圧が印加されて点灯し、前記液晶パネルの当該の領域を均一に照明するための複数の面光源ブロックと、
映像入力信号の１フレーム期間を前記各面光源ブロックの前記走査方向の長さに対応した複数のフレームブロックに分割し、前記各フレームブロック毎に前記液晶パネルの応答特性に対応して前記各面光源ブロックを点滅させるための複数のタイミング信号を発生する点灯タイミング制御部と、
前記各駆動パルス電圧を前記タイミング信号に同期して前記各面光源ブロックに印加する複数の面光源ブロック駆動部とを備えてなる液晶表示装置に用いられ、前記面光源ブロックを駆動する駆動方法であって、
前記各面光源ブロックの点灯初期状態から点灯安定状態に遷移する際に前記各駆動パルス電圧の周波数の設定値を変更する周波数設定処理を行うことを特徴とする駆動方法。
【請求項２０】
液晶パネルと、
該液晶パネルの走査方向に分割され、駆動パルス電圧が印加されて点灯し、前記液晶パネルの当該の領域を均一に照明するための複数の面光源ブロックと、
映像入力信号の１フレーム期間を前記各面光源ブロックの前記走査方向の長さに対応した複数のフレームブロックに分割し、前記各フレームブロック毎に前記液晶パネルの応答特性に対応して前記各面光源ブロックを点滅させるための複数のタイミング信号を発生する点灯タイミング制御部と、
前記各駆動パルス電圧を前記タイミング信号に同期して前記各面光源ブロックに印加する複数の面光源ブロック駆動部と、
前記各面光源ブロックの点灯開始時から所定期間に前記駆動パルス電圧が初期値から設定値まで漸次増加するように設定する複数の電圧設定部とを備えてなる液晶表示装置に用いられ、前記面光源ブロックを駆動する駆動方法であって、
前記各面光源ブロックの点灯開始時から前記所定期間経過後に前記駆動パルス電圧の周波数を変更する周波数設定処理を行うことを特徴とする駆動方法。
【請求項２１】
前記周波数設定処理では、
前記面光源の点灯初期状態から点灯安定状態に遷移する際に、前記駆動パルス電圧を初期値から前記面光源の所定の光量に対応した値まで漸次増加させることを特徴とする請求項１７記載の駆動方法。
【請求項２２】
前記周波数設定処理では、
前記面光源の点灯安定状態から消灯状態に遷移する際に、前記駆動パルス電圧を前記面光源の所定の光量に対応した値から初期値まで漸次減少させることを特徴とする請求項１７記載の駆動方法。
【請求項２３】
前記周波数設定処理では、
前記各面光源ブロックの点灯初期状態から点灯安定状態に遷移する際に、前記各駆動パルス電圧を初期値から前記各面光源ブロックの所定の光量に対応した値まで漸次増加させることを特徴とする請求項１９記載の駆動方法。
【請求項２４】
前記周波数設定処理では、
前記各面光源ブロックの点灯安定状態から消灯状態に遷移する際に、前記各駆動パルス電圧を前記各面光源ブロックの所定の光量に対応した値から初期値まで漸次減少させることを特徴とする請求項１９記載の駆動方法。
【発明の詳細な説明】
【技術分野】
【０００１】
この発明は、液晶表示装置及び該液晶表示装置に用いられる駆動方法に係り、たとえば冷陰極管などのように、インバータから駆動パルス電圧が印加されて点灯する面光源が設けられている液晶表示装置及び該液晶表示装置に用いられる駆動方法に関する。
【背景技術】
【０００２】
画像表示装置のうち、特に液晶表示装置は、近年では、大型化かつ高精細化が進み、また、パーソナルコンピュータやワードプロセッサなどのような静止画像を表示する装置のみでなく、テレビジョン（ＴＶ）などのような動画像を表示する装置にも用いられるようになっている。液晶表示装置は、ＣＲＴ（Cathod Ray Tube ）を備えたＴＶに比べて奥行きが薄く、占有面積が小さいため、今後一般家庭への普及率が高くなるものと予想される。
【０００３】
液晶表示装置では、液晶パネルを照明する面光源（たとえば、バックライト）として冷陰極管が用いられることが多い。この冷陰極管は、インバータのトランス、共振用補助コンデンサ及び同冷陰極管の浮遊容量で共振回路が構成され、同インバータから同共振回路の共振周波数にほぼ設定された駆動パルス電圧が印加されることにより点灯する。
【０００４】
この種の液晶表示装置は、従来では、たとえば図１４に示すように、液晶パネル１と、データ電極駆動回路２と、走査電極駆動回路３と、制御部４と、点灯タイミング制御部５と、インバータ６と、バックライト７とから構成されている。液晶パネル１は、データ電極Ｘi（ｉ＝１，２，…，ｍ、たとえば、ｍ＝６４０×３）と、走査電極Ｙj（ｊ＝１，２，…，ｎ、たとえば、ｎ＝５１２）と、画素セル１０i,jとから構成されている。データ電極Ｘiは、ｘ方向に所定間隔で設けられ、該当する画素データＤiに応じた電圧が印加される。走査電極Ｙjは、ｘ方向と直交するｙ方向（すなわち、走査方向）に所定間隔で設けられ、画素データＤiを書き込むための走査信号ＯＵＴjが順次印加される。画素セル１０i,jは、データ電極Ｘiと走査電極Ｙjとの交差領域と１対１に対応して設けられ、ＴＦＴ１１i,jと、液晶セル１２i,jと、共通電極ＣＯＭとから構成されている。ＴＦＴ１１i,jは、走査信号ＯＵＴjに基づいてオン／オフ制御され、オン状態になったときに液晶セル１２i,jに画素データＤiに応じた電圧を印加する。この液晶パネル１は、走査電極Ｙjに走査信号ＯＵＴjが順次印加されると共にデータ電極Ｘiに該当する画素データＤiが印加されることにより各液晶セル１２i,jに当該の画素データＤiが印加され、バックライト７から与えられる光に対して表示画像に対応した変調を行う。
【０００５】
データ電極駆動回路２は、映像入力信号ＶＤに基づいて画素データＤiに応じた電圧を各データ電極Ｘiに印加する。走査電極駆動回路３は、走査信号ＯＵＴjを線順次に各走査電極Ｙjに印加する。制御部４は、映像入力信号ＶＤに基づいてデータ電極駆動回路２に制御信号ａを送出すると共に走査電極駆動回路３に制御信号ｂを送出する。また、制御部４は、映像入力信号ＶＤに基づいて垂直同期信号ｃを点灯タイミング制御部５へ送出する。点灯タイミング制御部５は、垂直同期信号ｃに基づいて映像入力信号ＶＤの１フレーム期間毎に液晶パネル１の各液晶セル１２i,jの応答特性に対応してバックライト７を点滅させるためのタイミング信号ｄを発生する。
【０００６】
インバータ６は、バックライト７が有する浮遊容量との組合わせで共振する共振回路を有し、商用電源から同共振回路の共振周波数にほぼ設定された駆動パルス電圧ｅをタイミング信号ｄに同期して生成して同バックライト７に印加する。駆動パルス電圧ｅの周波数及びパルス幅は設定周波数ｆにより設定され、同駆動パルス電圧ｅの電圧が設定電圧ｖにより設定される。バックライト７は、液晶パネル１の背面に配置され、インバータ６から駆動パルス電圧ｅが印加されて点灯し、同液晶パネル１を均一に照明する。
【０００７】
図１５は、図１４中のバックライト７の内部構成例を示す図である。
このバックライト７は、同図１５に示すように、冷陰極管２１，２２と、反射シート２３と、ライティングカーテン２４と、拡散シート２５とから構成されている。反射シート２３は、たとえばＰＥＴ（ポリエチレン・テレフタレート）などのフィルムに銀がスパッタリングされて構成され、液晶パネル１に対する入光の効率を高める。このバックライト７では、冷陰極管２１，２２の光及び反射シート２３で反射された光は、ライティングカーテン２４で光量が低減されたり拡散シート２５により拡散されることにより、輝度が均一化されて面光源化される。
【０００８】
図１６は、図１４中のバックライト７の内部構成の他の例を示す図である。
このバックライト７は、同図１６に示すように、冷陰極管３１と、反射鏡３２と、反射シート３３と、導光板３４と、拡散シート３５とから構成されている。反射鏡３２及び反射シート３３は、ＰＥＴなどのフィルムに銀がスパッタリングされて構成され、液晶パネル１に対する入光の効率を高める。このバックライト７では、冷陰極管３の光及び反射鏡３２で反射された光は、導光板３４中で全反射しながら進行し、拡散シート３５で拡散されることにより、輝度が均一化されて面光源化される。
【０００９】
図１７は、図１４中のインバータ６、図１６中の冷陰極管３１及び反射鏡３２を抽出した模式図である。
インバータ６は、同図１７に示すように、高周波生成部６ａと、トランス６ｂとから構成されている。また、トランス６ｂの二次側には浮遊容量６ｃが形成され、インバータ６の出力側には共振用補助コンデンサ６ｄが接続されている。また、バックライト７からインバータ６までの配線にも図示しない浮遊容量がある。この浮遊容量、及びトランス６ｂ、浮遊容量６ｃ、共振用補助コンデンサ６ｄで共振回路が構成されている。このインバータ６では、高周波生成部６ａで商用電源から設定周波数ｆ及び設定電圧ｖに対応した高周波電圧がタイミング信号ｄに同期して生成され、同高周波電圧がトランス６ｂを経て駆動パルス電圧ｅとして出力される。駆動パルス電圧ｅは、バックライト７に印加される。
【００１０】
図１８は、従来の他の液晶表示装置の電気的構成を示す図である。
この液晶表示装置では、上記図１４の液晶表示装置の構成に加え、電圧設定部８が設けられている。この電圧設定部８は、タイミング信号ｄに同期して設定電圧ｖＭをインバータ６に送出し、バックライト７の点灯開始時から所定期間に駆動パルス電圧ｅが初期値から設定値まで漸次増加するように設定する。この液晶表示装置では、図１９に示すように、駆動パルス電圧ｅは、バックライト７の点灯開始時である時刻ｔ１から時刻ｔ２までの期間に初期値から設定値まで漸次増加した後、時刻ｔ２から時刻ｔ３まで一定値となり、以降、同様の動作が繰り返される。駆動パルス電圧ｅが時刻ｔ１から時刻ｔ２までの期間に漸次増加せず、始めから設定値になっている場合は、インバータ６及びバックライト７中の各部品が機械的に振動して発振音が発生することがあるが、この液晶表示装置では、電圧設定部８による設定電圧ｖＭにより、発振音が抑制される。
【００１１】
なお、現状では、上記従来の技術に関する適切な先行技術文献情報はない。
【発明の開示】
【発明が解決しようとする課題】
【００１２】
しかしながら、上記従来の液晶表示装置では、次のような問題点があった。
たとえば、図１６のバックライト７では、反射鏡３２は、銀がスパッタリングされているため、導電性となっている。このため、図２０に示すように、冷陰極管３１が点灯して内部に導電性のプラズマＰが発生したとき、反射鏡３２と同プラズマＰとの間で静電容量Ｓ，Ｓが形成され、バックライト７の浮遊容量が増加する。これにより、共振周波数は、冷陰極管３１の点灯初期よりも点灯安定期に低くなり、また、冷陰極管３１が長くなるほど静電容量Ｓ，Ｓが大きくなるため、変動が大きくなる。
【００１３】
よって、駆動パルス電圧ｅの周波数がバックライト７の点灯初期の共振周波数に設定されている場合、同駆動パルス電圧ｅの周波数と点灯安定期の共振周波数との間に大きな差が発生するため、力率が低下して効率が悪くなるという問題点がある。また、駆動パルス電圧ｅの周波数がバックライト７の点灯安定期の共振周波数に設定されている場合、同駆動パルス電圧ｅの周波数と点灯初期の共振周波数との間に大きな差があるため、共振が発生せず、同バックライト７が点灯しないという問題点がある。また、図１５のバックライト７でも、ほぼ同様の問題点がある。また、図１８の液晶表示装置では、時刻ｔ１から時刻ｔ２までの期間の駆動パルス電圧ｅが設定値より低いため、同駆動パルス電圧ｅの周波数とバックライト７の点灯初期の共振周波数との間に大きな差がある場合に同バックライト７が点灯しないという問題点がより顕著になる。また、図１８の液晶表示装置では、図１９中の時刻ｔ３においてバックライト７が消灯するとき、インバータ６及びバックライト７中の各部品が機械的に振動して発振音が発生することがあるという問題点がある。
【課題を解決するための手段】
【００１４】
上記課題を解決するために、請求項１記載の発明は、液晶パネルと、該液晶パネルを均一に照明するための面光源と、駆動パルス電圧を前記面光源に印加する面光源駆動部とを備えてなる液晶表示装置に係り、前記面光源の点灯初期状態から点灯安定状態に遷移する際に前記駆動パルス電圧の周波数の設定値を変更する周波数設定部が付加されてなることを特徴としている。
【００１５】
請求項２記載の発明は、請求項１記載の液晶表示装置に係り、前記面光源駆動部は、前記面光源が有する浮遊容量との組合わせで共振する共振回路を有し、該共振回路の共振周波数の付近に設定された前記駆動パルス電圧を前記面光源に印加する構成とされ、前記周波数設定部は、前記面光源の点灯初期状態から点灯安定状態に遷移する際の前記浮遊容量の増加に伴う前記共振周波数の低下に応じて前記駆動パルス電圧の周波数の設定値を変更する構成とされていることを特徴としている。
【００１６】
請求項３記載の発明は、請求項１又は２記載の液晶表示装置に係り、前記面光源は、前記駆動パルス電圧が印加されて点灯する冷陰極管と、該冷陰極管の光を反射すると共に、該冷陰極管の内部に発生するプラズマとの間で静電容量を形成することにより前記冷陰極管の点灯初期よりも点灯安定期に前記浮遊容量を増加させる反射部と、該反射部で反射された光及び前記冷陰極管の光を拡散して前記液晶パネルを均一に照明する拡散部とから構成され、前記周波数設定部は、前記駆動パルス電圧の周波数を前記冷陰極管の点灯初期の前記浮遊容量に対応した共振周波数の付近に設定し、この後、該周波数を該冷陰極管の点灯安定期の前記浮遊容量に対応した共振周波数の付近に設定する構成とされていることを特徴としている。
【００１７】
請求項４記載の発明は、液晶パネルと、該液晶パネルを均一に照明するための面光源と、駆動パルス電圧を前記面光源に印加する面光源駆動部と、前記面光源の点灯開始時から所定期間に前記駆動パルス電圧が初期値から設定値まで漸次増加するように設定する電圧設定部とを備えてなる液晶表示装置に係り、前記面光源の点灯開始時から前記所定期間経過後に前記駆動パルス電圧の周波数の設定値を変更する周波数設定部が付加されてなることを特徴としている。
【００１８】
請求項５記載の発明は、請求項４記載の液晶表示装置に係り、前記面光源駆動部は、前記面光源が有する浮遊容量との組合わせで共振する共振回路を有し、該共振回路の共振周波数の付近に設定された前記駆動パルス電圧を前記面光源に印加する構成とされ、前記周波数設定部は、前記面光源の点灯開始時から前記所定期間経過後における前記浮遊容量の増加に伴う前記共振周波数の低下に応じて前記駆動パルス電圧の周波数の設定値を変更する構成とされていることを特徴としている。
【００１９】
請求項６記載の発明は、請求項４又は５記載の液晶表示装置に係り、前記面光源は、前記駆動パルス電圧が印加されて点灯する冷陰極管と、該冷陰極管の光を反射すると共に、該冷陰極管の内部に発生するプラズマとの間で静電容量を形成することにより前記冷陰極管の点灯開始時よりも前記所定期間経過後に前記浮遊容量を増加させる反射部と、該反射部で反射された光及び前記冷陰極管の光を拡散して前記液晶パネルを均一に照明する拡散部とから構成され、前記周波数設定部は、前記駆動パルス電圧の周波数を前記冷陰極管の点灯開始時の前記浮遊容量に対応した共振周波数の付近に設定し、前記所定期間経過後、該周波数を該冷陰極管の点灯安定期の前記浮遊容量に対応した共振周波数の付近に設定する構成とされていることを特徴としている。
【００２０】
請求項７記載の発明は、液晶パネルと、該液晶パネルの走査方向に分割され、駆動パルス電圧が印加されて点灯し、前記液晶パネルの当該の領域を均一に照明するための複数の面光源ブロックと、映像入力信号の１フレーム期間を前記各面光源ブロックの前記走査方向の長さに対応した複数のフレームブロックに分割し、前記各フレームブロック毎に前記液晶パネルの応答特性に対応して前記各面光源ブロックを点滅させるための複数のタイミング信号を発生する点灯タイミング制御部と、前記各駆動パルス電圧を前記タイミング信号に同期して前記各面光源ブロックに印加する複数の面光源ブロック駆動部とを備えてなる液晶表示装置に係り、前記各面光源ブロックの点灯初期状態から点灯安定状態に遷移する際に前記各駆動パルス電圧の周波数の設定値を変更する複数の周波数設定部が付加されてなることを特徴としている。
【００２１】
請求項８記載の発明は、請求項７記載の液晶表示装置に係り、前記各面光源ブロック駆動部は、前記各面光源ブロックが有する浮遊容量との組合わせで共振する共振回路を有し、該共振回路の共振周波数の付近に設定された前記駆動パルス電圧を前記各タイミング信号に同期して前記各面光源ブロックに印加する構成とされ、前記各周波数設定部は、前記各面光源ブロックの点灯初期状態から点灯安定状態に遷移する際の前記浮遊容量の増加に伴う前記共振周波数の低下に応じて前記駆動パルス電圧の周波数の設定値を変更する構成とされていることを特徴としている。
【００２２】
請求項９記載の発明は、請求項７又は８記載の液晶表示装置に係り、前記各面光源ブロックは、前記駆動パルス電圧が印加されて点灯する冷陰極管と、該冷陰極管の光を反射すると共に、該冷陰極管の内部に発生するプラズマとの間で静電容量を形成することにより前記冷陰極管の点灯初期よりも点灯安定期に前記浮遊容量を増加させる反射部と、該反射部で反射された光及び前記冷陰極管の光を拡散して前記液晶パネルの当該の領域を均一に照明する拡散部とから構成され、前記各周波数設定部は、前記駆動パルス電圧の周波数を前記冷陰極管の点灯初期の前記浮遊容量に対応した共振周波数の付近に設定し、この後、該周波数を該冷陰極管の点灯安定期の前記浮遊容量に対応した共振周波数の付近に設定する構成とされていることを特徴としている。
【００２３】
請求項１０記載の発明は、液晶パネルと、該液晶パネルの走査方向に分割され、駆動パルス電圧が印加されて点灯し、前記液晶パネルの当該の領域を均一に照明するための複数の面光源ブロックと、映像入力信号の１フレーム期間を前記各面光源ブロックの前記走査方向の長さに対応した複数のフレームブロックに分割し、前記各フレームブロック毎に前記液晶パネルの応答特性に対応して前記各面光源ブロックを点滅させるための複数のタイミング信号を発生する点灯タイミング制御部と、前記各駆動パルス電圧を前記タイミング信号に同期して前記各面光源ブロックに印加する複数の面光源ブロック駆動部と、前記各面光源ブロックの点灯開始時から所定期間に前記駆動パルス電圧が初期値から設定値まで漸次増加するように設定する複数の電圧設定部とを備えてなる液晶表示装置に係り、前記各面光源ブロックの点灯開始時から前記所定期間経過後に前記駆動パルス電圧の周波数を変更する複数の周波数設定部が付加されてなることを特徴としている。
【００２４】
請求項１１記載の発明は、請求項１０記載の液晶表示装置に係り、前記各面光源ブロック駆動部は、前記面光源が有する浮遊容量との組合わせで共振する共振回路を有し、該共振回路の共振周波数の付近に設定された前記駆動パルス電圧を前記各タイミング信号に同期して前記面光源ブロックに印加する構成とされ、前記各周波数設定部は、前記各面光源ブロックの点灯開始時から前記所定期間経過後における前記浮遊容量の増加に伴う前記共振周波数の低下に応じて前記駆動パルス電圧の周波数の設定値を変更する構成とされていることを特徴としている。
【００２５】
請求項１２記載の発明は、請求項１０又は１１記載の液晶表示装置に係り、前記各面光源ブロックは、前記駆動パルス電圧が印加されて点灯する冷陰極管と、該冷陰極管の光を反射すると共に、該冷陰極管の内部に発生するプラズマとの間で静電容量を形成することにより前記冷陰極管の点灯初期よりも点灯安定期に前記浮遊容量を増加させる反射部と、該反射部で反射された光及び前記冷陰極管の光を拡散して前記液晶パネルの当該の領域を均一に照明する拡散部とから構成され、前記各周波数設定部は、前記駆動パルス電圧の周波数を前記冷陰極管の点灯開始時の前記浮遊容量に対応した共振周波数の付近に設定し、前記所定期間経過後、該周波数を該冷陰極管の点灯安定期の前記浮遊容量に対応した共振周波数の付近に設定する構成とされていることを特徴としている。
【００２６】
請求項１３記載の発明は、請求項１記載の液晶表示装置に係り、前記周波数設定部は、前記面光源の点灯初期状態から点灯安定状態に遷移する際に、前記駆動パルス電圧を初期値から前記面光源の所定の光量に対応した値まで漸次増加させる構成とされていることを特徴としている。
【００２７】
請求項１４記載の発明は、請求項１記載の液晶表示装置に係り、前記周波数設定部は、前記面光源の点灯安定状態から消灯状態に遷移する際に、前記駆動パルス電圧を前記面光源の所定の光量に対応した値から初期値まで漸次減少させる構成とされていることを特徴としている。
【００２８】
請求項１５記載の発明は、請求項７記載の液晶表示装置に係り、前記各周波数設定部は、前記各面光源ブロックの点灯初期状態から点灯安定状態に遷移する際に、前記各駆動パルス電圧を初期値から前記各面光源ブロックの所定の光量に対応した値まで漸次増加させる構成とされていることを特徴としている。
【００２９】
請求項１６記載の発明は、請求項７記載の液晶表示装置に係り、前記各周波数設定部は、前記各面光源ブロックの点灯安定状態から消灯状態に遷移する際に、前記各駆動パルス電圧を前記各面光源ブロックの所定の光量に対応した値から初期値まで漸次減少させる構成とされていることを特徴としている。
【００３０】
請求項１７記載の発明は、液晶パネルと、該液晶パネルを均一に照明するための面光源と、駆動パルス電圧を前記面光源に印加する面光源駆動部とを備えてなる液晶表示装置に用いられ、前記面光源を駆動する駆動方法に係り、前記面光源の点灯初期状態から点灯安定状態に遷移する際に前記駆動パルス電圧の周波数の設定値を変更する周波数設定処理を行うことを特徴としている。
【００３１】
請求項１８記載の発明は、液晶パネルと、該液晶パネルを均一に照明するための面光源と、駆動パルス電圧を前記面光源に印加する面光源駆動部と、前記面光源の点灯開始時から所定期間に前記駆動パルス電圧が初期値から設定値まで漸次増加するように設定する電圧設定部とを備えてなる液晶表示装置に用いられ、前記面光源を駆動する駆動方法に係り、前記面光源の点灯開始時から前記所定期間経過後に前記駆動パルス電圧の周波数の設定値を変更する周波数設定処理を行うことを特徴としている。
【００３２】
請求項１９記載の発明は、液晶パネルと、該液晶パネルの走査方向に分割され、駆動パルス電圧が印加されて点灯し、前記液晶パネルの当該の領域を均一に照明するための複数の面光源ブロックと、映像入力信号の１フレーム期間を前記各面光源ブロックの前記走査方向の長さに対応した複数のフレームブロックに分割し、前記各フレームブロック毎に前記液晶パネルの応答特性に対応して前記各面光源ブロックを点滅させるための複数のタイミング信号を発生する点灯タイミング制御部と、前記各駆動パルス電圧を前記タイミング信号に同期して前記各面光源ブロックに印加する複数の面光源ブロック駆動部とを備えてなる液晶表示装置に用いられ、前記面光源ブロックを駆動する駆動方法に係り、前記各面光源ブロックの点灯初期状態から点灯安定状態に遷移する際に前記各駆動パルス電圧の周波数の設定値を変更する周波数設定処理を行うことを特徴としている。
【００３３】
請求項２０記載の発明は、液晶パネルと、該液晶パネルの走査方向に分割され、駆動パルス電圧が印加されて点灯し、前記液晶パネルの当該の領域を均一に照明するための複数の面光源ブロックと、映像入力信号の１フレーム期間を前記各面光源ブロックの前記走査方向の長さに対応した複数のフレームブロックに分割し、前記各フレームブロック毎に前記液晶パネルの応答特性に対応して前記各面光源ブロックを点滅させるための複数のタイミング信号を発生する点灯タイミング制御部と、前記各駆動パルス電圧を前記タイミング信号に同期して前記各面光源ブロックに印加する複数の面光源ブロック駆動部と、前記各面光源ブロックの点灯開始時から所定期間に前記駆動パルス電圧が初期値から設定値まで漸次増加するように設定する複数の電圧設定部とを備えてなる液晶表示装置に用いられ、前記面光源ブロックを駆動する駆動方法に係り、前記各面光源ブロックの点灯開始時から前記所定期間経過後に前記駆動パルス電圧の周波数を変更する周波数設定処理を行うことを特徴としている。
【００３４】
請求項２１記載の発明は、請求項１７記載の駆動方法に係り、前記周波数設定処理では、前記面光源の点灯初期状態から点灯安定状態に遷移する際に、前記駆動パルス電圧を初期値から前記面光源の所定の光量に対応した値まで漸次増加させることを特徴としている。
【００３５】
請求項２２記載の発明は、請求項１７記載の駆動方法に係り、前記周波数設定処理では、前記面光源の点灯安定状態から消灯状態に遷移する際に、前記駆動パルス電圧を前記面光源の所定の光量に対応した値から初期値まで漸次減少させることを特徴としている。
【００３６】
請求項２３記載の発明は、請求項１９記載の駆動方法に係り、前記周波数設定処理では、  前記各面光源ブロックの点灯初期状態から点灯安定状態に遷移する際に、前記各駆動パルス電圧を初期値から前記各面光源ブロックの所定の光量に対応した値まで漸次増加させることを特徴としている。
【００３７】
請求項２４記載の発明は、請求項１９記載の駆動方法に係り、前記周波数設定処理では、前記各面光源ブロックの点灯安定状態から消灯状態に遷移する際に、前記各駆動パルス電圧を前記各面光源ブロックの所定の光量に対応した値から初期値まで漸次減少させることを特徴としている。
【発明の効果】
【００３８】
この発明の構成によれば、面光源又は面光源ブロックの点灯初期状態から点灯安定状態に遷移する際、周波数設定部により駆動パルス電圧の周波数の設定値が変更されるので、同面光源又は面光源ブロックは、確実に点灯し、かつ効率が改善される。また、周波数設定部にタイミング信号が入力されたとき、駆動パルス電圧の周波数は、面光源又は面光源ブロックの点灯開始初期の共振周波数の付近の高い周波数となり、この後、同面光源又は面光源ブロックの点灯後の共振周波数の付近の低い周波数となるので、同面光源又は面光源ブロックは、長い場合でも確実に点灯し、かつ効率を改善できる。また、電圧設定部により、面光源又は面光源ブロックの点灯開始時から所定期間に駆動パルス電圧が初期値から設定値まで漸次増加するように設定される場合、周波数設定部により、前記面光源又は面光源ブロックの点灯開始時から前記所定期間経過後における共振周波数の低下に応じて駆動パルス電圧の周波数を可変して設定するようにしたので、同面光源又は面光源ブロックを円滑に点灯できる。また、面光源又は面光源ブロックの点灯初期状態から点灯安定状態に遷移する際に、駆動パルス電圧が初期値から同面光源又は面光源ブロックの所定の光量に対応した値まで漸次増加するので、電圧設定部設ける必要がなく、比較的簡単な構成で面光源又は面光源ブロックを円滑に点灯できる。また、面光源又は面光源ブロックが消灯するとき、駆動パルス電圧を漸次減少させるようにしたので、同面光源又は面光源ブロックが消灯するときの発振音の発生を防止できる。
【発明を実施するための最良の形態】
【００３９】
面光源又は面光源ブロック（冷陰極管など）の点灯初期状態から点灯安定状態に遷移する際、浮遊容量の増加に伴う共振周波数の低下に応じて駆動パルス電圧の周波数を可変して設定する。
【実施例１】
【００４０】
図１は、この発明の第１の実施例である液晶表示装置の電気的構成を示すブロック図である。
この例の液晶表示装置は、同図に示すように、液晶パネル４１と、データ電極駆動回路４２と、走査電極駆動回路４３と、制御部４４と、点灯タイミング制御部４５と、インバータ４６1，４６2，４６3，４６4と、周波数設定部４７1，４７2，４７3，４７4と、バックライト４８1，４８2，４８3，４８4とから構成されている。液晶パネル４１は、データ電極Ｘi（ｉ＝１，２，…，ｍ、たとえば、ｍ＝６４０×３）と、走査電極Ｙj（ｊ＝１，２，…，ｎ、たとえば、ｎ＝５１２）と、画素セル５０i,jとから構成されている。データ電極Ｘiは、ｘ方向に所定間隔で設けられ、該当する画素データＤiに応じた電圧が印加される。走査電極Ｙjは、ｘ方向と直交するｙ方向（すなわち、走査方向）に所定間隔で設けられ、画素データＤiを書き込むための走査信号ＯＵＴjが順次印加される。画素セル５０i,jは、データ電極Ｘiと走査電極Ｙjとの交差領域と１対１に対応して設けられ、ＴＦＴ５１i,jと、液晶セル５２i,jと、共通電極ＣＯＭとから構成されている。ＴＦＴ５１i,jは、走査信号ＯＵＴjに基づいてオン／オフ制御され、オン状態になったときに液晶セル５２i,jに画素データＤiに応じた電圧を印加する。この液晶パネル４１は、走査電極Ｙjに走査信号ＯＵＴjが順次印加されると共にデータ電極Ｘiに該当する画素データＤiが印加されることにより各液晶セル５２i,jに当該の画素データＤiが印加され、バックライト４８1，４８2，４８3，４８4からの照明光に対して表示画像に対応した変調を行う。
【００４１】
データ電極駆動回路４２は、映像入力信号ＶＤに基づいて画素データＤiに応じた電圧を各データ電極Ｘiに印加する。走査電極駆動回路４３は、走査信号ＯＵＴjを線順次に各走査電極Ｙjに印加する。制御部４４は、映像入力信号ＶＤに基づいてデータ電極駆動回路４２に制御信号ａを送出すると共に走査電極駆動回路４３に制御信号ｂを送出する。また、制御部４４は、映像入力信号ＶＤに基づいて垂直同期信号ｃを点灯タイミング制御部４５へ送出する。点灯タイミング制御部４５は、垂直同期信号ｃに基づいて映像入力信号ＶＤの１フレーム期間を各バックライト４８1，４８2，４８3，４８4の走査方向の長さに対応した複数のフレームブロック［１］，［２］，［３］，［４］に分割し、同各フレームブロック［１］，［２］，［３］，［４］毎に液晶パネル４１の各液晶セル５２i,jの応答特性に対応して同各バックライト４８1，４８2，４８3，４８4を点滅させるためのタイミング信号ｄ1，ｄ2，ｄ3，ｄ4を発生する。
【００４２】
インバータ４６1，４６2，４６3，４６4は、従来の図１３中のインバータ６と同様に構成され、バックライト４８1，４８2，４８3，４８4が有する浮遊容量との組合わせで共振する共振回路を有し、商用電源から同共振回路の共振周波数にほぼ設定された駆動パルス電圧ｅ1，ｅ2，ｅ3，ｅ4をタイミング信号ｄ1，ｄ2，ｄ3，ｄ4に同期して生成して同バックライト４８1，４８2，４８3，４８4に印加する。駆動パルス電圧ｅ1，ｅ2，ｅ3，ｅ4の各周波数は設定周波数ｆ1，ｆ2，ｆ3，ｆ4により設定され、同駆動パルス電圧ｅ1，ｅ2，ｅ3，ｅ4の電圧が設定電圧ｖにより設定される。
【００４３】
バックライト４８1，４８2，４８3，４８4は、液晶パネル４１の背面に配置され、同液晶パネル４１の走査方向（ｙ方向）に分割され、駆動パルス電圧ｅ1，ｅ2，ｅ3，ｅ4が印加されて点灯し、同液晶パネル４１を照明する。駆動パルス電圧ｅ1，ｅ2，ｅ3，ｅ4の周波数及びパルス幅は設定周波数ｆ1，ｆ2，ｆ3，ｆ4により設定され、同駆動パルス電圧ｅ1，ｅ2，ｅ3，ｅ4の電圧が設定電圧ｖにより設定される。また、駆動パルス電圧ｅ1，ｅ2，ｅ3，ｅ4の周波数とパルス幅とは、光量を一定にする場合には、反比例するように設定される。また、この実施例では、バックライト４８1，４８2，４８3，４８4は、たとえば、従来の図１１とほぼ同様に構成され、図示しない冷陰極管、反射部及び拡散部を有している。冷陰極管は、駆動パルス電圧ｅ1，ｅ2，ｅ3，ｅ4が印加されて点灯する。反射部は、銀がスパッタリングされたフィルムなどで構成され、冷陰極管の光を反射して液晶パネル４１を照明すると共に、同冷陰極管の内部に発生するプラズマとの間で静電容量を形成することにより、同冷陰極管の点灯前よりも点灯後に浮遊容量を増加させる。拡散部は、反射部で反射された光及び冷陰極管の光を拡散して液晶パネル４１を均一に照明する。
【００４４】
周波数設定部４７1，４７2，４７3，４７4は、複数の論理回路などで構成され、バックライト４８1，４８2，４８3，４８4の点灯初期状態から点灯安定状態に遷移する際の浮遊容量の増加に伴う共振周波数の低下に応じて駆動パルス電圧ｅ1，ｅ2，ｅ3，ｅ4の各周波数ｆ1，ｆ2，ｆ3，ｆ4を可変して設定する。特に、この実施例では、周波数設定部４７1，４７2，４７3，４７4は、駆動パルス電圧ｅ1，ｅ2，ｅ3，ｅ4の周波数ｆ1，ｆ2，ｆ3，ｆ4をバックライト４８1，４８2，４８3，４８4の冷陰極管の点灯初期の浮遊容量に対応した共振周波数の付近に設定し、この後、同周波数ｆ1，ｆ2，ｆ3，ｆ4を同バックライト４８1，４８2，４８3，４８4の冷陰極管の点灯安定期の浮遊容量に対応した共振周波数の付近に設定する。これらの周波数ｆ1，ｆ2，ｆ3，ｆ4及び変化する時点は、予め実験結果に基づいて設定され、たとえば、図示しないＬＵＴ（Look Up Table 、ルック・アップ・テーブル）などに格納されている。
【００４５】
図２は、図１中の液晶パネル４１の概略の構造及びバックライト４８1，４８2，４８3，４８4の位置を示す図である。
この液晶パネル４１は、同図２に示すように、一対の偏光板６１，６２と、ガラス基板６３と、アレイ基板６４と、これらに挟まれた液晶層６５とから構成されている。ガラス基板６３上には、Ｒ（赤），Ｇ（緑），Ｂ（青）のカラーフィルタ６６が形成され、Ｒ，Ｇ，Ｂの３色を有する３画素で１ドットが構成されている。アレイ基板６４は、図１中のＴＦＴ５１i,jなどの能動素子を載せたガラス基板である。バックライト４８1，４８2，４８3，４８4は、液晶パネル４１の背面側に配置され、図３に示すように、全体で液晶パネル４１の表示画面とほぼ同一の大きさに形成され、同液晶パネル４１の走査方向（ｙ方向）に分割されている。
【００４６】
この液晶パネル４１では、バックライト４８1，４８2，４８3，４８4の白色光が、偏光板６２を通過した後に直線偏光となって液晶層６５に入射する。液晶層６５は、偏光の形状を変える働きをするが、この働きは液晶の配向状態によって決まっているため、画素データＤiに対応した電圧によって偏光形状が制御される。この液晶層６５から出射する偏光の形状により、出射光が偏光板６２に吸収されるか否かが決まる。このようにして、画素データＤiに対応した電圧によって光の透過率が制御される。また、カラーフィルタ６６のＲ，Ｇ，Ｂの各画素を通過した光の加色混合によってカラー画像が得られる。
【００４７】
図４は、図１の液晶表示装置の動作を説明するタイムチャートであり、縦軸にフレームブロック［１］，［２］，［３］，［４］毎の画素データＤiに対する各液晶セル５２i,jの応答及び駆動パルス電圧ｅ1，ｅ2，ｅ3，ｅ4の立上がり／立下がりの状態が表示され、横軸に時間がとられている。また、図５は、図４中の駆動パルス電圧ｅ1，ｅ2，ｅ3，4の立上がり時におけるインバータ４６1，４６2，４６3，４６4の各トランスに入力される波形を示す図である。
これらの図を参照して、この例の液晶表示装置に用いられる駆動方法の処理内容について説明する。
映像入力信号ＶＤは制御部４４に入力され、同制御部４４から制御信号ａがデータ電極駆動回路４２に送出されると共に走査電極駆動回路４３に制御信号ｂが送出される。また、制御部４４から垂直同期信号ｃが点灯タイミング制御部４５へ送出される。また、映像入力信号ＶＤはデータ電極駆動回路４２に入力され、同データ電極駆動回路４２から画素データＤiに応じた電圧が液晶パネル４１の各データ電極Ｘiに印加される。走査電極駆動回路４３から走査信号ＯＵＴjが線順次に液晶パネル４１の各走査電極Ｙjに印加される。
【００４８】
点灯タイミング制御部４５では、垂直同期信号ｃに基づいて映像入力信号ＶＤの１フレーム期間がフレームブロック［１］，［２］，［３］，［４］に分割され、同各フレームブロック［１］，［２］，［３］，［４］毎に各バックライト４８1，４８2，４８3，４８4を点滅させるためのタイミング信号ｄ1，ｄ2，ｄ3，ｄ4が発生してインバータ４６1，４６2，４６3，４６4へそれぞれ送出されると共に、周波数設定部４７1，４７2，４７3，４７4へそれぞれ送出される。
【００４９】
周波数設定部４７1，４７2，４７3，４７4では、タイミング信号ｄ1，ｄ2，ｄ3，ｄ4が入力されたとき、設定周波数ｆ1，ｆ2，ｆ3，ｆ4はバックライト４８1，４８2，４８3，４８4の点灯開始時の浮遊容量に対応した共振周波数の付近に設定され、この後、同周波数ｆ1，ｆ2，ｆ3，ｆ4が同バックライト４８1，４８2，４８3，４８4の点灯後の浮遊容量に対応した共振周波数の付近に設定される（周波数設定処理）。インバータ４６1，４６2，４６3，４６4では、設定周波数ｆ1，ｆ2，ｆ3，ｆ4及び設定電圧ｖにより設定された駆動パルス電圧ｅ1，ｅ2，ｅ3，ｅ4が生成される。駆動パルス電圧ｅ1，ｅ2，ｅ3，ｅ4はバックライト４８1，４８2，４８3，４８4にそれぞれ印加され、同バックライト４８1，４８2，４８3，４８4が点灯して液晶パネル４１が照明される。
【００５０】
たとえば、図４に示すように、時刻ｔ１において、フレームブロック［１］に対応した画素データＤiに対する各液晶セル５２i,jの応答が完了したとき、駆動パルス電圧ｅ1がバックライト４８1に印加され、同バックライト４８1が点灯する。この場合、インバータ４６1のトランスに図５に示す波形が入力され、駆動パルス電圧ｅ1の周波数ｆ1は、時刻ｔ１から時刻ｔａまでの所定の期間Ｔａにおいて、バックライト４８1の点灯初期の浮遊容量に対応した共振周波数の付近の高い周波数となり、時刻ｔａ以降では同バックライト４８1点灯安定期の浮遊容量に対応した共振周波数の付近の低い周波数となる。この期間Ｔａでは、数発の駆動パルス電圧ｅ1が発生する。時刻ｔ３（時刻ｔ１から１／２フレーム期間後）において、各液晶セル５２i,jの次フレームの応答が開始したとき、駆動パルス電圧ｅ1がバックライト４８1に印加されなくなり、同バックライト４８1が消灯する。
【００５１】
時刻ｔ２において、フレームブロック［２］に対応した画素データＤiに対する各液晶セル５２i,jの応答が完了したとき、駆動パルス電圧ｅ2がバックライト４８2に印加され、同バックライト４８2が点灯する。この駆動パルス電圧ｅ2の周波数ｆ2も、駆動パルス電圧ｅ1と同様に変化する。時刻ｔ４において、各液晶セル５２i,jの次フレームの応答が開始したとき、駆動パルス電圧ｅ2がバックライト４８2に印加されなくなり、同バックライト４８2が消灯する。時刻ｔ３において、フレームブロック［３］に対応した画素データＤiに対する各液晶セル５２i,jの応答が完了したとき、駆動パルス電圧ｅ3がバックライト４８3に印加され、同バックライト４８3が点灯する。この駆動パルス電圧ｅ3の周波数ｆ3も、駆動パルス電圧ｅ1と同様に変化する。時刻ｔ５において、各液晶セル５２i,jの次フレームの応答が開始したとき、駆動パルス電圧ｅ3がバックライト４８3に印加されなくなり、同バックライト４８3が消灯する。
【００５２】
時刻ｔ４において、フレームブロック［４］に対応した画素データＤiに対する各液晶セル５２i,jの応答が完了したとき、駆動パルス電圧ｅ4がバックライト４８4に印加され、同バックライト４８4が点灯する。この駆動パルス電圧ｅ4の周波数ｆ4も、駆動パルス電圧ｅ1と同様に変化する。時刻ｔ６において、各液晶セル５２i,jの次フレームの応答が開始したとき、駆動パルス電圧ｅ4がバックライト４８4に印加されなくなり、同バックライト４８4が消灯する。
【００５３】
以上のように、この第１の実施例では、周波数設定部４７1，４７2，４７3，４７4にタイミング信号ｄ1，ｄ2，ｄ3，ｄ4が入力されたとき、駆動パルス電圧ｅ1，ｅ2，ｅ3，ｅ4の周波数ｆ1，ｆ2，ｆ3，ｆ4は、バックライト４８1，４８2，４８3，４８4の点灯初期の浮遊容量に対応した共振周波数の付近の高い周波数となり、この後、同バックライト４８1，４８2，４８3，４８4の点灯後の浮遊容量に対応した共振周波数の付近の低い周波数となるので、同バックライト４８1，４８2，４８3，４８4は、冷陰極管が長い場合でも確実に点灯し、かつ力率が改善されて効率が良くなる。
【実施例２】
【００５４】
図６は、この発明の第２の実施例である液晶表示装置の電気的構成を示すブロック図であり、第１の実施例を示す図１中の要素と共通の要素には共通の符号が付されている。
この例の液晶表示装置では、図１中の点灯タイミング制御部４５及び周波数設定部４７1，４７2，４７3，４７4に代えて、異なる機能を有する点灯タイミング制御部４５Ａ及び周波数設定部４７Ａが設けられ、さらに電圧設定部４９が設けられている。また、インバータ４６2，４６3，４６4が削除され、バックライト４８1，４８2，４８3，４８4に代えて、分割されていないバックライト４８Ａが設けられている。点灯タイミング制御部４５Ａは、垂直同期信号ｃに基づいて映像入力信号ＶＤの１フレーム期間毎に液晶パネル４１の応答特性に対応してバックライト４８Ａを点滅させるためのタイミング信号ｄＡを発生する。
【００５５】
電圧設定部４９は、バックライト４８Ａの点灯開始時から所定期間に駆動パルス電圧ｅ1が初期値から所定値まで漸次増加するようにインバータ４６1に対して設定電圧ｖを設定する。バックライト４８Ａは、たとえば、従来の図１１とほぼ同様に構成され、図示しない冷陰極管、反射部及び拡散部を有している。周波数設定部４７Ａは、バックライト４８Ａの冷陰極管の点灯開始時から上記所定期間経過後における浮遊容量の増加に伴う共振周波数の低下に応じて駆動パルス電圧ｅ1の周波数ｆＡを可変して設定する。特に、この実施例では、周波数設定部４７Ａは、駆動パルス電圧ｅ1の周波数ｆＡを冷陰極管の点灯開始時の浮遊容量に対応した共振周波数の付近に設定し、所定期間経過後、周波数ｆＡを同冷陰極管の点灯後の浮遊容量に対応した共振周波数の付近に設定する。他は、図１と同様の構成である。
【００５６】
図７は、図６中の駆動パルス電圧ｅ1の立上がり時におけるインバータ４６1のトランスに入力される波形を示す図、及び図８が図６の動作を説明するタイムチャートである。
これらの図を参照して、この例の液晶表示装置に用いられる駆動方法の処理内容について説明する。
この液晶表示装置では、インバータ４６及びバックライト４８Ａ中の各部品の機械的振動を抑制するために、電圧設定部４９により、同バックライト４８Ａの点灯開始時から所定期間に駆動パルス電圧ｅ1が初期値から所定値まで漸次増加するように設定される。また、周波数設定部４７Ａにより、バックライト４８Ａの点灯開始時から上記所定期間経過後における浮遊容量の増加に伴う共振周波数の低下に応じて駆動パルス電圧ｅ1の周波数ｆＡが可変して設定される（周波数設定処理）。
【００５７】
この場合、インバータ４６1のトランスに、たとえば図７に示す波形が入力され、駆動パルス電圧ｅ1は、周波数ｆＡが時刻ｔ１から時刻ｔｂまでの所定の期間Ｔｂにおいてバックライト４８Ａの点灯開始時の浮遊容量に対応した共振周波数の付近の高い周波数となると共に、図８に示すように、初期値から設定値まで漸次増加し、時刻ｔｂ以降では同バックライト４８Ａの点灯安定期の浮遊容量に対応した共振周波数の付近の低い周波数となると共に一定のレベルとなり、以降、同様の動作が繰り返される。
【００５８】
以上のように、この第２の実施例では、駆動パルス電圧ｅ1の周波数ｆＡが時刻ｔ１から時刻ｔｂまでの所定の期間Ｔｂにおいてバックライト４８Ａの点灯開始時の浮遊容量に対応した共振周波数の付近の高い周波数となるので、同駆動パルス電圧ｅ1が時刻ｔ１から時刻ｔｂまでの期間に所定値より低くても、周波数ｆＡが適切に設定され、バックライト４８Ａが円滑に点灯する。
【実施例３】
【００５９】
図９は、この発明の第３の実施例である液晶表示装置の電気的構成を示すブロック図であり、第１の実施例を示す図１及び第２の実施例を示す図６中の要素と共通の要素には共通の符号が付されている。
この例の液晶表示装置では、同図９に示すように、図１の液晶表示装置の構成に加え、図６中の電圧設定部４９と同様の機能を有する電圧設定部４９1，４９2，４９3，４９4が設けられている。電圧設定部４９1，４９2，４９3，４９4は、バックライト４８1，４８2，４８3，４８4の点灯開始時から所定期間に駆動パルス電圧ｅ1，ｅ2，ｅ3，ｅ4が初期値から所定値まで漸次増加するようにインバータ４６1，４６2，４６3，４６4に対して設定電圧ｖ1，ｖ2，ｖ3，ｖ4を設定する。他は、図１と同様の構成である。
【００６０】
この液晶表示装置では、インバータ４６1，４６2，４６3，４６4及びバックライト４８1，４８2，４８3，４８4中の各部品の機械的振動を抑制するために、上記第２の実施例と同様に、電圧設定部４９1，４９2，４９3，４９4により、同バックライト４８1，４８2，４８3，４８4の点灯開始時から所定期間に駆動パルス電圧ｅ1，ｅ2，ｅ3，ｅ4が初期値から所定値まで漸次増加するように設定される。また、周波数設定部４７1，４７2，４７3，４７4により、バックライト４８1，４８2，４８3，４８4の点灯開始時から上記所定期間経過後における浮遊容量の増加に伴う共振周波数の低下に応じて駆動パルス電圧ｅ1，ｅ2，ｅ3，ｅ4の周波数ｆ1，ｆ2，ｆ3，ｆ4が変更される（周波数設定処理）。
【００６１】
以上のように、この第３の実施例では、電圧設定部４９1，４９2，４９3，４９4により、バックライト４８1，４８2，４８3，４８4の点灯開始時から所定期間に駆動パルス電圧ｅ1，ｅ2，ｅ3，ｅ4が初期値から所定値まで漸次増加するように設定されるので、第１の実施例の利点に加え、バックライト４８1，４８2，４８3，４８4が円滑に点灯する。
【実施例４】
【００６２】
図１０は、この発明の第４の実施例である液晶表示装置の電気的構成を示すブロック図であり、第１の実施例を示す図１中の要素と共通の要素には共通の符号が付されている。
この例の液晶表示装置では、同図１０に示すように、図１中の周波数設定部４７1，４７2，４７3，４７4に代えて、新たな機能が付加された周波数設定部４７Ａ1，４７Ａ2，４７Ａ3，４７Ａ4が設けられている。周波数設定部４７Ａ1，４７Ａ2，４７Ａ3，４７Ａ4は、周波数設定部４７1，４７2，４７3，４７4の機能に加え、バックライト４８1，４８2，４８3，４８4の点灯初期状態から点灯安定状態に遷移する際に、インバータ４６1，４６2，４６3，４６4の各駆動パルス電圧ｅ1，ｅ2，ｅ3，ｅ4を初期値から同バックライト４８1，４８2，４８3，４８4の所定の光量に対応した値まで漸次増加させる機能を有している。他は、図１と同様の構成である。
【００６３】
この液晶表示装置の駆動方法では、次の点が第１の実施例と異なっている。
すなわち、時刻ｔ１において、インバータ４６1のトランスに図１１に示す波形が入力される。この波形は、時刻ｔ１から時刻ｔａまでの期間Ｔａでは、周波数が時刻ｔａ以降よりも高く、また、パルス幅が漸次増加している。このため、駆動パルス電圧ｅ1は、時刻ｔ１から時刻ｔａまでの期間Ｔａにおいて、初期値からバックライト４８1の所定の光量に対応した値まで漸次増加する（周波数設定処理）。この場合、駆動パルス電圧ｅ1は、図８（第２の実施例）中の時刻ｔ１から時刻ｔｂにおける増加とほぼ同様の状態となる。時刻ｔａ以降では、第１の実施例と同様の動作が行われる。
また、駆動パルス電圧ｅ2，ｅ3，ｅ4も、バックライト４８2，４８3，４８4の点灯初期状態から点灯安定状態に遷移する際に、駆動パルス電圧ｅ1と同様に変化する。
【００６４】
以上のように、この第４の実施例では、バックライト４８1，４８2，４８3，４８4の点灯初期状態から点灯安定状態に遷移する際に、各駆動パルス電圧ｅ1，ｅ2，ｅ3，ｅ4が初期値から同バックライト４８1，４８2，４８3，４８4の所定の光量に対応した値まで漸次増加するので、図９（第３の実施例）中の電圧設定部４９1，４９2，４９3，４９4を設ける必要がなく、比較的簡単な構成で第３の実施例と同様に、バックライト４８1，４８2，４８3，４８4が円滑に点灯するという利点が得られる。
【実施例５】
【００６５】
上記図１０の液晶表示装置では、バックライト４８1，４８2，４８3，４８4が消灯するとき、インバータ４６1，４６2，４６3，４６4及び同バックライト４８1，４８2，４８3，４８4中の各部品が機械的に振動して発振音が発生することがあるという問題点が残っているが、次の第５の実施例に示すように、同バックライト４８1，４８2，４８3，４８4が消灯するとき、駆動パルス電圧ｅ1，ｅ2，ｅ3，ｅ4を漸次減少させることにより、この問題点が改善される。
【００６６】
図１２は、この発明の第５の実施例である液晶表示装置の電気的構成を示すブロック図であり、第４の実施例を示す図１０中の要素と共通の要素には共通の符号が付されている。
この例の液晶表示装置では、同図１２に示すように、図１０中の周波数設定部４７Ａ1，４７Ａ2，４７Ａ3，４７Ａ4に代えて、新たな機能が付加された周波数設定部４７Ｂ1，４７Ｂ2，４７Ｂ3，４７Ｂ4が設けられている。周波数設定部４７Ｂ1，４７Ｂ2，４７Ｂ3，４７Ｂ4は、周波数設定部４７Ａ1，４７Ａ2，４７Ａ3，４７Ａ4の機能に加え、バックライト４８1，４８2，４８3，４８4の点灯安定状態から消灯状態に遷移する際に、駆動パルス電圧ｅ1，ｅ2，ｅ3，ｅ4を同バックライト４８1，４８2，４８3，４８4の所定の光量に対応した値から初期値まで漸次減少させる機能を有している。他は、図１０と同様の構成である。
【００６７】
この液晶表示装置の駆動方法では、次の点が第４の実施例と異なっている。
すなわち、バックライト４８1の点灯安定状態から消灯状態に遷移する際、図１１（第４の実施例）中の時刻ｔ１から時刻ｔａまでの波形を時間軸方向に反転した波形がインバータ４６1のトランスに入力され、図１３に示すように、時刻ｔｍから時刻ｔｎにおいて、駆動パルス電圧ｅ1が同バックライト４８1の所定の光量に対応した値から初期値まで漸次減少する（周波数設定処理）。また、駆動パルス電圧ｅ2，ｅ3，ｅ4も、バックライト４８2，４８3，４８4の点灯安定状態から消灯状態に遷移する際に、駆動パルス電圧ｅ1と同様に変化する。
【００６８】
以上のように、この第５の実施例では、バックライト４８1，４８2，４８3，４８4が消灯するとき、駆動パルス電圧ｅ1，ｅ2，ｅ3，ｅ4を漸次減少させるようにしたので、バックライト４８1，４８2，４８3，４８4が消灯するときの発振音の発生が防止される。
【産業上の利用可能性】
【００６９】
以上、この発明の実施例を図面により詳述してきたが、具体的な構成はこの実施例に限られるものではなく、この発明の要旨を逸脱しない範囲の設計の変更などがあっても、この発明に含まれる。
たとえば、第１の実施例の図４では、バックライト４８1，４８2，４８3，４８4が点灯する期間は１／２フレーム期間に設定されているが、液晶セル５２i,jの応答が完了している状態であれば、任意の長さで良い。また、第１の実施例では、バックライト４８1，４８2，４８3，４８4が分割され、映像入力信号ＶＤの１フレーム期間もフレームブロック［１］，［２］，［３］，［４］に分割されているが、分割されていなくても、同実施例とほぼ同様の作用、効果が得られる。また、第２の実施例の図８では、駆動パルス電圧ｅ1が時刻ｔ１から時刻ｔｂまで直線的に増加しているが、たとえば時定数回路などを用いることにより、指数関数的に増加するようにしても良い。
【００７０】
また、上記各実施例では、液晶パネル４１が透過型であるが、この発明は、反射型の液晶パネルにも適用できる。すなわち、図１又は図９中のバックライト４８1，４８2，４８3，４８4に代えて、走査方向に分割された４つの導光体を液晶パネルの表示面側に配置し、これらの各導光体の入射面側に冷陰極管などの光源を同各導光体毎に設け、かつ液晶パネルの背面側に反射板を設けることにより、上記第１又は第３の実施例とほぼ同様の作用、効果が得られる。同様に、図６中のバックライト４８に代えて、導光体を液晶パネルの表示面側に配置し、これらの導光体の入射面側に冷陰極管などの光源を設け、かつ液晶パネルの背面側に反射板を設けることにより、上記第２の実施例とほぼ同様の作用、効果が得られる。また、駆動パルス電圧ｅ1，ｅ2，ｅ3，ｅ4の周波数及びパルス幅は設定周波数ｆ1，ｆ2，ｆ3，ｆ4により設定されるが、同パルス幅は、必要な光量に応じて外部から設定するようにしても良い。また、第４及び第５の実施例では、バックライト４８1，４８2，４８3，４８4が分割されているが、分割されていない場合でも、同実施例とほぼ同様の作用、効果が得られる。
【図面の簡単な説明】
【００７１】
【図１】この発明の第１の実施例である液晶表示装置の電気的構成を示すブロック図である。
【図２】図１中の液晶パネル４１の概略の構造及びバックライト４８1，４８2，４８3，４８4の位置を示す図である。
【図３】図２中のバックライト４８1，４８2，４８3，４８4の構成図である。
【図４】図１の液晶表示装置の動作を説明するタイムチャートである。
【図５】図４中の駆動パルス電圧ｅ1，ｅ2，ｅ3，ｅ4の立上がり時における波形を時間軸方向に拡大した図である。
【図６】この発明の第２の実施例である液晶表示装置の電気的構成を示すブロック図である。
【図７】図６中の駆動パルス電圧ｅ1の立上がり時におけるインバータ４６1のトランスに入力される波形を示す図である。
【図８】図６の動作を説明するタイムチャートである。
【図９】この発明の第３の実施例である液晶表示装置の電気的構成を示すブロック図である。
【図１０】この発明の第４の実施例である液晶表示装置の電気的構成を示すブロック図である。
【図１１】図１０中の駆動パルス電圧ｅ1の立上がり時におけるインバータ４６1のトランスに入力される波形を示す図である。
【図１２】この発明の第５の実施例である液晶表示装置の電気的構成を示すブロック図である。
【図１３】図１２の動作を説明するタイムチャートである。
【図１４】従来の液晶表示装置の電気的構成を示す図である。
【図１５】図１４中のバックライト７の内部構成例を示す図である。
【図１６】図１４中のバックライト７の内部構成の他の例を示す図である。
【図１７】図１４中のインバータ６、図１６中の冷陰極管３１及び反射鏡３２を抽出した模式図である。
【図１８】従来の他の液晶表示装置の電気的構成を示す図である。
【図１９】図１８の動作を説明するタイムチャートである。
【図２０】従来の液晶表示装置の問題点を説明する図である。
【符号の説明】
【００７２】
６，４６1，４６2，４６3，４６4      インバータ（面光源駆動部、面光源ブロック駆動部）
６ａ      高周波生成部（面光源駆動部の一部）
６ｂ      トランス（面光源駆動部の一部）
６ｃ      浮遊容量
６ｄ      共振用補助コンデンサ
２１，２２，３１      冷陰極管（面光源の一部）
２３，３３      反射シート（反射部、面光源の一部）
２５，３５      拡散シート（拡散部）
３２      反射鏡（反射部、面光源の一部）
４１      液晶パネル
４５，４５Ａ      点灯タイミング制御部
４７1，４７2，４７3，４７4，４７Ａ，４７Ａ1，４７Ａ2，４７Ａ3，４７Ａ4，４７Ｂ1，４７Ｂ2，４７Ｂ3，４７Ｂ4      周波数設定部
４８1，４８2，４８3，４８4，４８Ａ      バックライト（面光源、面光源ブロック）
４９，４９1，４９2，４９3，４９4      電圧設定部
Ｐ      プラズマ
Ｓ      静電容量
【図１】
2005123097.tif 000003
【図２】
2005123097.tif 000004
【図３】
2005123097.tif 000005
【図４】
2005123097.tif 000006
【図５】
2005123097.tif 000007
【図６】
2005123097.tif 000008
【図７】
2005123097.tif 000009
【図８】
2005123097.tif 000010
【図９】
2005123097.tif 000011
【図１０】
2005123097.tif 000012
【図１１】
2005123097.tif 000013
【図１２】
2005123097.tif 000014
【図１３】
2005123097.tif 000015
【図１４】
2005123097.tif 000016
【図１５】
2005123097.tif 000017
【図１６】
2005123097.tif 000018
【図１７】
2005123097.tif 000019
【図１８】
2005123097.tif 000020
【図１９】
2005123097.tif 000021
【図２０】
2005123097.tif 000022